(57)【要約】      （修正有）【課題】横に大きい商品を水平に保って持ち運びすることができる手提げバッグを提供する。【解決手段】略矩形の底面部と、少なくとも開口部１２２を有し、底面部を覆う上面部１２０と、を有し、底面部と上面部とは、底面部の第１方向に伸びる一対の辺において、直接接続され、底面部の第２方向に伸びる一対の辺において、マチ部１３０を介して接続されており、開口部は、上面部の一方の端部から他方の端部へと第２方向に伸びて形成されている。【選択図】図３
0003231998.tif 000002
【実用新案登録請求の範囲】
【請求項１】
略矩形の底面部と、
少なくとも開口部を有し、前記底面部を覆う上面部と、
を有し、
前記底面部と前記上面部とは、前記底面部の第１方向に伸びる一対の辺において、直接接続され、前記底面部の第２方向に伸びる一対の辺において、マチ部を介して接続されており、
前記開口部は、前記上面部の一方の端部から他方の端部へと前記第２方向に伸びて形成されている、
手提げバッグ。
【請求項２】
前記上面部には、前記開口部から互いに反対側に所定の距離隔てた位置に、前記第２の方向に伸びる一対の手提げバンド部が設けられている、
請求項１に記載の手提げバッグ。
【請求項３】
前記開口部には、前記第１の方向に伸びる一対の辺側の端部に、開口径拡大部が設けられている、
請求項１又は２に記載の手提げバッグ。
【請求項４】
前記開口径拡大部の形状は、前記第１の方向に伸びる一対の辺側の端部側に向けて開口径がＵ字状に大きくなっている、
請求項３に記載の手提げバッグ。
【請求項５】
前記マチ部、前記底面部又は前記上面部には、前記手提げバッグを折り畳んで収納するための収納バンド部が設けられている、
請求項１乃至４のいずれか一項に記載の手提げバッグ。
【考案の詳細な説明】
【技術分野】
【０００１】
本考案は、ピザ、お寿司、お弁当等を水平に保って持ち運ぶことができる手提げバッグに関するものである。
【背景技術】
【０００２】
従来より、コンビニやスーパー等で商品を購入した場合、販売者側からレジ袋が提供されてきた。しかしながら、レジ袋は、買い物をする個人にとっては数枚であっても全体では莫大な数であり、資源の無駄遣いとなる上、焼却時には有害ガスも発生する。
【０００３】
近年では、レジ袋の有料化等に伴い、エコバッグ（登録商標）等の携帯も普及してきている。しかしながら、エコバッグ（登録商標）は、通常の手提げカバンと同様に縦持ちでの使用を想定して作られていることが多い。そのため、ピザ、お寿司、ホールケーキ、大型の食品トレー、お弁当等のように、横に大きく、かつ、水平に保って持ち運びたい商品を運搬する場合、エコバッグ（登録商標）の中で、商品が縦や斜めになり、中身が崩れてしまうことがあった。
【考案の概要】
【考案が解決しようとする課題】
【０００４】
そこで、本考案は、横に大きい商品を水平に保って持ち運びすることができる手提げバッグを提供することを目的としている。
【課題を解決するための手段】
【０００５】
前記目的を達成するために、本考案の手提げバッグは、
略矩形の底面部と
少なくとも開口部を有し、前記底面部を覆う上面部と、
を有し、
前記底面部と前記上面部とは、前記底面部の第１方向に伸びる一対の辺において、直接接続され、前記底面部の第２方向に伸びる一対の辺において、マチ部を介して接続されており、
前記開口部は、前記上面部の一方の端部から他方の端部へと前記第２方向に伸びて形成されていることを特徴としている。
【考案の効果】
【０００６】
本実施形態に係る手提げバッグは、横に大きい商品を水平に保って持ち運びすることができる。
【図面の簡単な説明】
【０００７】
【図１】本考案の一実施形態に係る手提げバッグの上面概略図である。
【図２】本考案の一実施形態に係る手提げバッグに商品を入れる様子を示す概略図である。
【図３】本考案の一実施形態に係る手提げバッグを持ち運ぶ様子を示す概略図である。
【図４】本考案の一実施形態に係る手提げバッグの折り畳み方法例を説明するための概略構成図である。
【考案を実施するための形態】
【０００８】
以下、本考案に係る一実施形態について図面を参照して説明する。ただし、以下の実施形態に記載されている構成要素は例示であり、本考案の技術範囲をそれらのみに限定する趣旨のものではない。
【０００９】
（本考案の手提げバッグの構成例）
図１に、本考案の一実施形態に係る手提げバッグの上面概略図を、図２に、本考案の一実施形態に係る手提げバッグに商品を入れる様子を示す概略図を、図３に、本考案の一実施形態に係る手提げバッグを持ち運ぶ様子を示す概略図を示す。なお、図２では、一例として、寿司パックを本考案の手提げバッグに入れる様子を示している。
【００１０】
本考案に係る手提げバッグ１００は、略矩形の底面部１１０と、この底面部１１０を覆う上面部１２０と、を有する。
【００１１】
底面部１１０は、限定されないが、テイクアウト用のピザケース、寿司桶（寿司パック）、ホールケーキ、大型の食品トレー、服等の商品が載置される箇所で、より具体的には、底面部１１０と上面部１２０との間に形成される空間内に商品が収納される。
【００１２】
底面部１１０の外周形状は、上面視で略矩形であり、ここで言う略矩形とは、正方形、長方形を含む。また、後述する上面部１２０は、底面部１１０を覆うように形成されるため、基本的には、底面部１１０の上面視は、上面部１２０の上面視と、開口部１２２を除いてほぼ一致する。そのため、上面部１２０の外周の一部に後述する開口径拡大部１５０ａ、１５０ｂが形成されている場合は、底面部１１０の外周形状もそれに対応して同様の形状に形成されるが、本考案においても底面部１１０の外周形状は略矩形と呼ぶものとする。
【００１３】
前述したとおり、上面部１２０は、底面部１１０を覆うように形成されている。そして、上面部１２０には、上面部１２０と底面部１１０で覆われる空間に、ピザ、お寿司、お弁当等の横に大きい商品を入れるために、開口部１２２を有して形成されている。
【００１４】
底面部１１０と上面部１２０とは、底面部１１０（又は上面部１２０）の第１方向に伸びる一対の辺１１４ａ、１１４ｂにおいて、直接接続されている。接続方法としては、特に限定されないが、縫合等が好適に採用される。
【００１５】
また、底面部１１０と上面部１２０とは、底面部１１０（又は上面部１２０）の第２方向に伸びる一対の辺１１６ａ、１１６ｂにおいて、マチ部１３０を介して接続されている。
【００１６】
開口部１２２は、上面部１２０の一方の端部から他方の端部へと前記第２方向に伸びて形成されている。別の言い方をすると、開口部１２２は、辺１１４ａから辺１１４ｂへと第２方向に伸びて形成されている。
【００１７】
本考案に係る手提げバッグ１００は、上述の通り、テイクアウト用のピザケース、寿司桶（寿司パック）、ホールケーキ、大型の食品トレー、服等の横に大きい商品を水平に運ぶことを想定している。市販のピザケースや寿司パック、ホールケーキ等は、概ねサイズが決まっているため、好ましい手提げバッグ１００の大きさはそれより若干大きいことが好ましい。しかしながら、上述の商品は、厚みが大きいものが多いため、手提げバッグ１００に商品を収納する際の収納容易性も重要となってくる。そこで、本考案に係る手提げバッグ１００は、開口部１２２の端部側、即ち、底面部１１０（及び上面部１２０）の辺１１４ａ、１１４ｂ側に、開口部１２２の開口径が大きくなる開口径拡大部１５０を設けることが好ましい。別の言い方をすると、開口径拡大部１５０は、前記第１の方向に伸びる一対の辺側の端部側に向けて、開口径が大きくなるよう構成されている。このような開口径拡大部１５０を設けることで、手提げバッグ１００を合成繊維等の伸縮性に欠けた材料で作成した場合であっても、手提げバッグ１００内に大きな商品を収納する際に収納しやすくなる。また、開口径拡大部１５０を設けることで、開口部１２２を上面部１２０の一方の端部から他方の端部へと直線的に伸びるように形成した場合と比較して、開口部１２２の端部に応力が集中することがないため、手提げバッグ１００の耐久性も向上する。
【００１８】
開口径拡大部１５０の形状としては、特に限定されないが、開口部１２２の端部側に向けて開口径がＵ字状に大きくなる、開口径が所定の曲率Ｒを有して大きくなる形状等が挙げられる。
【００１９】
基本的に、テイクアウト用のピザケース、寿司桶等は、上面視で対称形に作られているため、開口部１２２は、第１方向に関しては、辺１１６ａと辺１１６ｂとの間の略中心位置に設けられている。
【００２０】
また、上面部１２０には、開口部１２２から互いに反対側に所定の距離隔てた位置に、第２方向に伸びる一対の手提げバンド部１４０が設けられている。これにより、図３に示すように、本考案の手提げバッグ１００に、テイクアウト用のピザケース、寿司桶（寿司パック）、服等の横に大きな商品を収納した場合でも、水平を保ったまま持ち運ぶことができる。
【００２１】
また、マチ部１３０、底面部１１０又は上面部１２０には、本考案に係る手提げバッグを折り畳んで収納するための収納バンド部１６０を設けることが好ましい。収納バンド部１６０を用いた収納方法については後述する。
【００２２】
上面部１２０及び底面部１１０の材質としては、アクリル、アラミド、セルロース、ナイロン、ビニロン、ポリエステル、ポリエチレン、ポリプロピレン、ポリオレフィン、ポリ乳酸、レーヨン等の合成樹脂又は天然繊維等の織物や編物等を好適に用いることが可能であるが、これに限定されず、従来の布製品に使用される種々の公知の布地を用いることができる。上記の中でも肌触り、耐久性及び製造コスト等を両立する観点や、雨の日に持ち運ぶ際の撥水性に優れる点、洗濯する際にそのまま洗うことが可能である点等から、ナイロンを用いることが好ましい。
【００２３】
収納バンド部１６０の材質としては、弾性を有するゴム等を好適に用いることが可能である。
【００２４】
底面部１１０及び上面部１２０の大きさとしては、特に限定されないが、市販のＭサイズのピザやファミリー用の寿司パックは、通常、３００ｍｍ〜３６０ｍｍ×３００ｍｍ〜３６０ｍｍ程度であるため、それより若干大きいサイズ、具体的には、４００ｍｍ〜４６０ｍｍ×４００ｍｍ〜４６０ｍｍとすることが好ましい。また、マチ部１３０のマチ幅は、数ｍｍ〜１００ｍｍ程度とすることが好ましい。これにより、市販のＭサイズのピザやファミリー用の寿司パックを収納した場合であっても、水平に持ち運ぶことが可能である。
【００２５】
（手提げバッグの収納方法）
次に、図４を参照して、収納バンド部１６０へと本考案の手提げバッグを収納する方法について説明する。図４に、本考案の一実施形態に係る手提げバッグの折り畳み方法例を説明するための概略構成図を示す。図４に示す例では、底面部１１０の辺１１４ａに収納バンド部１６０が形成されている例について説明する。
【００２６】
本考案の手提げバッグを収納する場合、先ず、上面部１２０を上にした状態で、辺１１４ａの一方の端部から他方の端部へと略三等分する位置で、第２方向に伸びる谷折り線となるように折り畳む（図４の番号１〜３参照）。そして、辺１１６ａの一方の端部から他方の端部へと略三等分する位置で、第１方向に伸びる谷折り線となるように折り畳む（図４の番号４〜６参照）。さらに、折り畳まれた手提げバッグ１００の略中心位置において、第１方向に伸びる谷折り線となるように折り畳む（図４の番号７〜８参照）。最後に、折り畳まれた手提げバッグ１００を、手提げバンド部１６０内に収納することで、手提げバンド部１６０の収納を完了する。
【００２７】
本考案に係る手提げバッグは、略矩形の底面部と、少なくとも開口部を有し、前記底面部を覆う上面部と、を有し、前記底面部と前記上面部とは、前記底面部の第１方向に伸びる一対の辺において、直接接続され、前記底面部の第２方向に伸びる一対の辺において、マチ部を介して接続されており、前記開口部は、前記上面部の一方の端部から他方の端部へと前記第２方向に伸びて形成されている。そのため、テイクアウト用のピザケース、寿司桶（寿司パック）、ホールケーキ、大型の食品トレー等の横に大きい平たい商品を持ち運ぶ場合であっても、水平に保って持ち運ぶことができる。また、食品以外であっても、折り畳んだスーツ等の衣類であってもシワにならずに持ち運ぶことができる。
【００２８】
また、本考案に係る手提げバッグは、収納バンド部を有しているため、手提げバッグ自体をコンパクトに折り畳み収納バンド部へと収納することで、通常の持ち運びにおいても荷物とならない。そのため、通常のエコバッグ（登録商標）に入れておき、横に大きい平たい商品を持ち運ぶ際に取り出して使用することが可能である。
【符号の説明】
【００２９】
１００      手提げバッグ
１１０      底面部
１１４ａ、１１４ｂ      辺
１１６ａ、１１６ｂ      辺
１２０      上面部
１２２      開口部
１３０      マチ部
１４０      手提げバンド部
１５０      開口径拡大部
１６０      収納バンド部
【図１】
0003231998.tif 000003
【図２】
0003231998.tif 000004
【図３】
0003231998.tif 000005
【図４】
0003231998.tif 000006